(57)【特許請求の範囲】
【請求項１】
（ａ）  軸糸（１１）に絡み付けた表糸（１２）の上に更に搦み糸（１３）を撚り付けた二重巻糸（１４）が布帛の表面を形成しており、
（ｂ）  表糸（１２）が軸糸（１１）と搦み糸（１２）よりも１．５倍以上オーバーフイードされており、
（ｃ）  表糸（１２）が、軸糸（１１）を中心とする輪奈（１８）を描いて搦み糸の撚山（１７）と撚山（１７）の間から隆起しており、
（ｄ）  表糸の輪奈１８によって二重巻糸全体１４が覆われている梨地調織編布帛。
【請求項２】
表糸（１２）が軸糸（１１）と搦み糸（１３）よりも太く、表糸（１２）の隆起した輪奈（１８）によって搦み糸（１３）の撚山（１７）が覆われている前掲請求項１に記載の梨地調織編布帛。
【請求項３】
表糸（１２）が無撚糸、または、撚数が０．１回／ｍ以下の実質的に無撚糸である前掲請求項１および請求項２の何れかに記載の梨地調織編布帛。
【請求項４】
二重巻糸（１４）が捩れたループパイル（１５）を構成し、そのループパイル（１５）の一部に捩れた毛玉（１９）が形成されている前掲請求項１に記載の梨地調織編布帛。
【請求項５】
搦み糸（１３）の二重巻糸（１４）の上における撚数が３回／ｃｍ以上である前掲請求項１に記載の梨地調織編布帛。
【発明の詳細な説明】
【０００１】
【発明の属する技術分野】
本発明は、表面にザラツキ感がある織物や編物（以下、梨地調織編布帛と言う。）、特に、表面にザラツキ感があるループパイルを有するタフテッドパイル布帛、パイル編物、パイル織物、タオル等の梨地調織編パイル布帛に関するものである。
【０００２】
【従来の技術】
表面にザラツキ感がある梨地調織編布帛を得る場合には、布帛の表面を構成する糸条に強撚糸が使用される。
【０００３】
【発明が解決しようとする課題】
しかし、強撚糸では、それを構成する繊維が互いに強く密着していて繊維間に隙間がなく、全体が棒状に固く締束されているので、それによっては嵩高に開毛したボリーム感のある梨地調織編布帛は得られない。そして、撚数が多くなると下撚と上撚工程での撚糸速度も遅くなるので、強撚糸がコスト高になる。又、そのように固く締束されているので強撚糸を使用した梨地調織編布帛の目付は重く、その目付が多い分だけ梨地調織編布帛がコスト高になる。
【０００４】
【発明の目的】
そこで本発明は、ザラツキ感があると共に表面が嵩高に開毛してボリーム感に富み、目付が少なく、軽く可撓な梨地調織編布帛を安価に得ることを目的とする。
【０００５】
【課題を解決するための手段】
本発明に係る梨地調織編布帛は、軸糸１１に絡み付けた表糸１２の上に更に搦み糸１３を撚り付けた二重巻糸１４によって布帛の表面が形成されており、表糸１２が軸糸１１と搦み糸１２よりも１．５倍以上オーバーフイードされており、表糸１２が搦み糸の撚山１７と撚山１７の間から隆起した輪奈１８を形成していることを第１の特徴とする。
【０００６】
本発明に係る梨地調織編布帛の第２の特徴は、上記第１の特徴に加えて、表糸１２が軸糸１１と搦み糸１３よりも太く、表糸１２の隆起した輪奈１８によって搦み糸１３の撚山１７が覆われていることにある。
【０００７】
本発明に係る梨地調織編布帛の第３の特徴は、上記第１又は第２の何れかの特徴に加えて、表糸１２が無撚糸、または、撚数が０．１回／ｍ以下の実質的に無撚糸であることにある。
【０００８】
本発明に係る梨地調織編布帛の第４の特徴は、上記第１、第２又は第３の何れかの特徴に加えて、二重巻糸１４が捩れたループパイル１５を構成し、そのループパイル１５の一部に捩れた毛玉１９が形成されていることにある。
【０００９】
本発明に係る梨地調織編布帛の第５の特徴は、上記第第１、第２、第３又は第４の何れかの特徴に加えて、搦み糸１３の二重巻糸１４の上における撚数が３回／ｃｍ以上であることにある。
【００１０】
【発明の実施の形態】
撚山間１７・１７から隆起して形成する表糸１２の隆起（１８）は、軸糸１１や搦み糸１３に対する表糸１２のオーバーフイード量に応じて大きくなるが、そのオーバーフイード量が余りにも多く、表糸の隆起（１８）が余りにも高くなり、それが織物の製織過程や編物の編成過程で地糸に押し倒され、それがループパイルを形成する場合は在来のパイル布帛のループパイルのように嵩高に膨らんでザラツキ感のある梨地調織編パイル布帛は得られなくなる。勿論、表糸（１２）のオーバーフイード量が多く、隆起（１８）が高くなる場合には、搦み糸１３の撚り付けピッチ（撚数）を多くし、その高く突き出る隆起（１８）を搦み糸１３によって押さえ付ければよいのであるが、搦み糸１３の撚数を余り多くすると、搦み糸１３によって表糸１２が被覆されて二重巻糸１４が固く仕上がり、嵩高な梨地調織編布帛は得難くなる。
【００１１】
これらの点を考慮すると、表糸１２のオーバーフイード量は、軸糸１１と搦み糸１３の長さに対して１．５〜５倍、好ましくは２〜４倍（３倍前後）とし、二重巻糸上での搦み糸１３の撚数は、３〜１５回／ｃｍ、好ましくは５〜１０回／ｃｍ（８回／ｃｍ前後）とするとよい。更に詳しく説明すると、表糸１２のオーバーフイード量と搦み糸１３の撚数は、表糸と搦み糸の見掛けの太さを考慮し、表糸１２が搦み糸１２の撚山間１７・１７から１ｍｍ前後隆起した輪奈１８を形成し、その輪奈１８によって搦み糸の撚山１７が覆われるように定める。
【００１２】
それは、そのように１ｍｍ前後隆起した表糸１２の輪奈１８は、通常３〜７ｍｍとなる在来のパイル布帛のループパイルに比して遙に短く、それが搦み糸１３に押さえられて細かく出来るので、二重巻糸１４の表面にザラツキが生じ、その結果、梨地調織編布帛の表面がザラツキ感のあるものとなるからである。
【００１３】
そのように表糸の輪奈１８によって二重巻糸全体１４が覆われるようにするには、無撚で見掛け太さが搦み糸１３よりも太く嵩高な糸条を表糸１２を用いるとよい。従って表糸１２には、絹繊維や化学繊維（レーヨン、ポリエステル、ナイロン等）のマルチフイラメント糸を用いるとよいが、棉その他の短繊維糸条（紡績糸）を用いるときは、軸糸１１に絡み付けた際、或いは、搦み糸１３を巻き付ける際に解撚し、表糸１２が無撚の状態になるように、その短繊維糸条（表糸１２）の撚数と、絡み付ける表糸１２の軸糸１１に対する撚数、或いは、搦み糸１３の巻き付け方法を設定すればよい。
【００１４】
搦み糸１３を巻き付けて表糸１２を無撚の状態にするには、表糸１２の軸糸１１に対する巻き付け方向と搦み糸１３の表糸１２および軸糸１１に対する巻き付け方向を逆に、つまり搦み糸１３と表糸１２を逆撚りにすればよい。更に詳しく説明すると、表糸１２にマルチフイラメント糸を使用する場合でも、搦み糸１３の二重巻糸１４の上における撚数が３回／ｃｍ以上にするには、搦み糸１３とは逆方向に、３回／ｃｍ以上の撚数をもって表糸１２を軸糸１１に巻き付け、その表糸１２の解撚トルク（解撚作用）に附勢されて搦み糸１３が表糸１２と軸糸１１に巻き付くようにする。
【００１５】
表糸１２の軸糸１１に対する絡み付けは、軸糸１１よりも長い表糸１２が、軸糸１１から離れて大きく弛み出すことなく、絡み付けた表糸１２を搦み糸１３によって軸糸１１へと締束する迄の間、表糸１２が波紋状にだぶついて細かく折れ曲がって軸糸１１に触れ合った状態に保持されるようにするために行うものであり、二重巻糸１４における表糸１２の撚数は０．１回／ｃｍ程度の僅かなものであってもよい。
【００１６】
図１は、本発明に係る梨地調織編布帛の表面を構成する二重巻糸１４を模型的に図示し、図２は、二重巻糸１４をパイル糸に使用して基布２０にタフテイングした梨地調タフテッドパイル布帛１６を図示するものであり、図中、２１は、二重巻糸１４が梨地調タフテッドパイル布帛１６の裏面に形成するバックステッチを図示する。
【００１７】
【発明の効果】
本発明（請求項１）によると、布帛の表面を構成する二重巻糸１４の表面が、搦み糸１３の撚山間１７・１７から隆起した細かい輪奈１８による凹凸に覆われているので、ループパイル布帛１６においても表面にザラツキ感が生じる一方、表糸１２の繊維が搦み糸１３による締束から解放された輪奈１８を形成して開毛しているので、二重巻糸１４が布帛の表面で嵩高に脹らみ、従って布帛の目付を少なくすることが出来、ザラツキ感とボリーム感に富む軽く嵩高な梨地調織編布帛が得られる。
【００１８】
本発明（請求項２）によると、搦み糸１３が表糸の輪奈１８に覆われており、その撚山１７が恰も表糸１２を強撚して出来た撚山の如き観を呈し、強撚糸によって表面が構成された強撚糸布帛に外観が近似した梨地調織編布帛が得られる。
【００１９】
本発明（請求項３）によると、表糸１２が嵩高になっており、梨地調織編布帛を低目付にすることが出来、その表糸１２に絹や綿繊維のように吸湿性繊維を用いるときは、手拭いやタオルケット、バスマット、ワードロープその他の装寝具等に適した梨地調織編パイル布帛１６が得られる。
【００２０】
本発明（請求項４）によると、軸糸１１は無撚状態で自撚トルクあるいは解撚トルクを有せず、又、表糸１２も細かく折れ曲がった輪奈１８を形成して解撚トルクを有しない。一方、搦み糸１３は、強く撚り付けられて潜在した解撚トルクを有し、二重巻糸１４がループパイル１５を形成する場合には、その解撚トルクが顕現し、その搦み糸の解撚トルクによってループパイル１５が自撚し、その一部が絡まり合って毛玉１９を形成し、その毛玉１９によってパイル布帛１６の表面のザラツキ感が強められる。
【００２１】
本発明（請求項５）によると、表糸１２の輪奈１８が細かく出来、搦み糸１３の解撚トルクも大きく作用するので、二重巻糸１４がループパイル１５を形成する場合には、そのループパイル１５に毛玉１９が細かく出来、それによって皮膚を程よく刺激して肌触りの良いザラツキ感が表面に生じ、取り分け装寝具類に適した梨地調織編パイル布帛１６が得られる。
【図面の簡単な説明】
【図１】本発明に係る梨地調織編布帛の表面を構成する二重巻糸の斜視図である。
【図２】本発明に係る梨地調織編パイル布帛の拡大側面断面図である。
【符号の説明】
１１  軸糸
１２  表糸
１３  搦み糸
１４  二重巻糸
１５  ループパイル
１６  パイル布帛
１７  撚山
１８  輪奈
１９  毛玉
２０  基布
【図１】
0004032510.tif 000002
【図２】
0004032510.tif 000003